(57)【要約】【課題】本発明は、遊技者が吸う煙草の煙等を吸引する煙吸引装置を備えた、遊技島の遊技設備を提供する事を目的とする。【解決手段】遊技台の上方の前面側に、配列方向に沿って設けた紙幣搬送ユニットは、紙幣を搬送する搬送部と紙幣を受け入れる投入部とから構成され、上記搬送部に煙吸引孔を備え、上記投入部に煙吸引ファンを備え、該煙吸引ファンと煙吸引孔を吸引パイプで連設し、該煙吸引ファンの駆動によって、煙草の煙を煙吸引孔から吸引するように構成する。【選択図】      図７
2005087464.tif 000002
【特許請求の範囲】
【請求項１】
紙幣を搬送する搬送部と、紙幣を受入れる投入部とから構成された紙幣搬送ユニットを、
遊技台の上方の前面側に配列方向に沿って設け、上記搬送部に煙吸引孔と吸引パイプを備え、投入部に煙吸引ファンを備え、
該煙吸引孔と煙吸引ファンを吸引パイプで連設し、煙吸引ファンの駆動によって、煙草の煙を吸引すると共に、上記紙幣搬送ユニットにより投入された紙幣を搬送する、遊技島の遊技設備。
【請求項２】
紙幣を搬送する搬送部と、紙幣を受入れる投入部とから構成された紙幣搬送ユニットを、
遊技台の上方の前面側に配列方向に沿って設け、上記搬送部に煙吸引孔と吸引パイプを備え、上記紙幣搬送ユニットにより投入された紙幣を搬送するように成し、
遊技台に隣接して配設された遊技媒体貸出機は、遊技媒体を貸出すと共に、上部にフィルター付煙吸引ファンと、該フィルター付煙吸引ファンで生じる送風を送り出す送風通路と、送風を正面から外部に吐き出すスリットとを備え、
上記フィルター付煙吸引ファンの駆動によって、煙草の煙を煙吸引孔から吸引パイプを介して吸引し、フィルターにて浄化した浄化空気を、送風通路を介してスリットから外部に吐き出す煙吸引装置と成した、遊技島の遊技設備。
【請求項３】
遊技台と略同幅で、且つ遊技台の上方位置に、煙吸引孔と吸引パイプを有した煙吸引ユニットを備え、
遊技台に隣接して配設された遊技媒体貸出機は、遊技媒体を貸出すと共に、上部にフィルター付煙吸引ファンと、該フィルター付煙吸引ファンで生じる送風を送り出す送風通路と、送風を正面から外部に吐き出すスリットとを備え、
上記フィルター付煙吸引ファンの駆動によって、煙草の煙を煙吸引孔から吸引パイプを介して吸引し、フィルターにて浄化した浄化空気を、送風通路を介してスリットから外部に吐き出す煙吸引装置と成した、遊技島の遊技設備。
【発明の詳細な説明】
【技術分野】
【０００１】
本発明は、遊技台及び遊技媒体貸出機が配列された遊技島において、遊技者が吸った煙草の煙を吸引すると共に、浄化した空気を送り出す事が出来る遊技設備に関するものである。
【背景技術】
【０００２】
パチンコ遊技店においては、遊技者は煙草を吸う人が多く、店内に煙草の煙のにおいが充満している。通常、遊技店においては、天井等に大掛かりな空気清浄装置が備えられているが、喫煙する人が多い遊技店では十分機能を果たしていない。非喫煙者にとっては、洋服等に匂いが付着し、不快な思いをしていたため、非喫煙者は遊技店に足を運ばなくなっていた。そこで、遊技店内の幕板付近等に煙草の煙を吸う吸引装置を備えたものが多数開示されてきている。
【特許文献１】特開平８−５２２６６
【０００３】
例えば、特許文献１においては、遊技島内に設置したコンプレッサによって圧搾空気を送出し、島内に配管したエアホースによって、台間玉貸機等に上方に向けて備えられたノズルに配送して吐出し、遊技機上方に吸引機構を備えた空気清浄装置によって、ノズルから吐き出される圧搾空気を吸入する用に構成されている。
【発明の開示】
【発明が解決しようとする課題】
【０００４】
しかし、前記したような空気清浄装置は既存の遊技島に設置する場合、大掛かりな施工（島改築）が必要であり、多大なコスト及び時間を要してしまっていた。
【０００５】
本発明は、遊技者が吸う煙草の煙等を吸引する煙吸引装置を備えた、遊技島の遊技設備を提供する事を目的とする。
【課題を解決するための手段】
【０００６】
本発明の請求項１は、紙幣を搬送する搬送部と、紙幣を受入れる投入部とから構成された紙幣搬送ユニットを、
遊技台の上方の前面側に配列方向に沿って設け、搬送部に煙吸引孔と吸引パイプを備え、投入部に煙吸引ファンを備え、
該煙吸引孔と煙吸引ファンを吸引パイプで連設し、煙吸引ファンの駆動によって、煙草の煙を吸引すると共に、上記紙幣搬送ユニットにより投入された紙幣を搬送するように構成したことによって達成される。
【０００７】
本発明の請求項２は、紙幣を搬送する搬送部と、紙幣を受入れる投入部とから構成された紙幣搬送ユニットを、
遊技台の上方の前面側に配列方向に沿って設け、上記搬送部に煙吸引孔と吸引パイプを備え、上記紙幣搬送ユニットにより投入された紙幣を搬送するように成し、
遊技台に隣接して配設された遊技媒体貸出機は、遊技媒体を貸出すと共に、上部にフィルター付煙吸引ファンと、該フィルター付煙吸引ファンで生じる送風を送り出す送風通路と、送風を正面から外部に吐き出すスリットとを備え、
上記フィルター付煙吸引ファンの駆動によって、煙草の煙を煙吸引孔から吸引パイプを介して吸引し、フィルターにて浄化した浄化空気を、送風通路を介してスリットから外部に吐き出すように構成したことによって達成される。
【０００８】
本発明の請求項３は、遊技台と略同幅で、且つ遊技台の上方位置に、煙吸引孔と吸引パイプを有した煙吸引ユニットを備え、
遊技台に隣接して配設された遊技媒体貸出機は、遊技媒体を貸出すと共に、上部にフィルター付煙吸引ファンと、該フィルター付煙吸引ファンで生じる送風を送り出す送風通路と、送風を正面から外部に吐き出すスリットとを備え、
上記フィルター付煙吸引ファンの駆動によって、煙草の煙を煙吸引孔から吸引パイプを介して吸引し、フィルターにて浄化した浄化空気を、送風通路を介してスリットから外部に吐き出すように構成したことによって達成される。
【発明の効果】
【０００９】
本発明の構成によれば、紙幣を搬送する搬送部と、紙幣を受入れる投入部とから構成された紙幣搬送ユニットを、
遊技台の上方の前面側に配列方向に沿って設け、搬送部に煙吸引孔と吸引パイプを備え、投入部に煙吸引ファンを備え、
該煙吸引孔と煙吸引ファンを吸引パイプで連設し、煙吸引ファンの駆動によって、煙草の煙を吸引することが出来るので、喫煙する遊技者に隣接して遊技する遊技者に不快感を与える事がなくなる。
【００１０】
また、遊技台の上方の前面側に配列方向に沿って、紙幣を搬送する搬送部と、紙幣を受入れる投入部とから構成され、上記搬送部に煙吸引孔と吸引パイプを備えた紙幣搬送ユニット、又は、煙吸引孔と吸引パイプを有した煙吸引ユニットを設け、
遊技台に隣接して遊技媒体を貸出すと共に、上部にフィルター付煙吸引ファンと、該フィルター付煙吸引ファンで生じる送風を送り出す送風通路と、送風を正面から外部に吐き出すスリットとを備えた遊技媒体貸出機を配設し、
上記フィルター付煙吸引ファンの駆動によって、煙草の煙を煙吸引孔から吸引パイプを介して吸引し、フィルターにて浄化した浄化空気を、送風通路を介してスリットから外部に吐き出すことにより、エアカーテンとしての機能を成し、喫煙する遊技者に隣接して遊技する遊技者に煙草の煙を及ぼす事がなくなる。
【００１１】
また、上記した、搬送部に煙吸引孔と吸引パイプを備えた紙幣搬送ユニット、又は、煙吸引孔と吸引パイプを有した煙吸引ユニットと、上部にフィルター付煙吸引ファンと、該フィルター付煙吸引ファンで生じる送風を送り出す送風通路と、送風を正面から外部に吐き出すスリットとを備えた遊技媒体貸出機を一対に取付け、煙吸引孔と送風通路を、吸引パイプで接続する事により、煙吸引機能とエアカーテンの機能を、遊技媒体貸出装置内に設けたファン１つだけで行う事が出来る煙吸引装置としたため、コストの低減に繋がる。
【００１２】
さらに、上記した、搬送部に煙吸引孔を、投入部に煙吸引ファンを備えた紙幣搬送ユニット、及び、搬送部に煙吸引孔と吸引パイプを備えた紙幣搬送ユニット、及び、煙吸引孔と吸引パイプを有した煙吸引ユニットは、それぞれ遊技台の上方の前面側に外付けで取付けるだけで済み、既存の遊技島に設置する場合においても、遊技島の大掛かりな改築や施工を行う必要がなくなり、低コストで且つ短時間で設置する事が出来る。
【実施例１】
【００１３】
以下、本発明の第１実施例を、図面に従って説明する。図１は、本発明にかかる紙幣搬送装置が適用される遊技島１０の概略構成を示す図である。遊技島１０は、複数の遊技台１２を横方向に配列して構成される。図示する遊技台１２はスロットマシンとして示されているが、他の種類、例えばパチンコ台であってもよい。また、店内のレイアウトにより遊技台１２を図の背面側に、図示する遊技台１２と背中合わせとなるように配列することも可能である。各遊技台１２の間には、遊技媒体貸出機１４が配置される。また、各遊技台１２の上方の前面側には紙幣搬送ユニット１６が配置され、各紙幣搬送ユニット１６が横方向に連なって紙幣搬送装置１８を構成している。紙幣搬送ユニット１６が配置されたさらに上方には、ストック箱を置いておく玉箱収納部２０が設けられている。なお、ここでの紙幣搬送装置は、紙幣搬送ユニットを連設した構成としたが、遊技島の長さに掛け渡した一本の搬送ベルトによる構成としてもよい。  
【００１４】
紙幣搬送ユニット１６は、紙幣を投入する投入部２２と、投入された紙幣を搬送する搬送路２４を含む。投入部２２に投入された紙幣は、同じ紙幣搬送ユニット１６に属する搬送路２４に送られ、さらに、この搬送路２４によって図中左隣の紙幣搬送ユニット１６に送られる。搬送される紙幣は、遊技島１０の端（図中左端）の紙幣搬送ユニット１６においては、遊技島１０の端に設けられた島管理装置２６に送られ、ここに揃えて収容される。このとき、回収した紙幣の枚数を数え、売り上げカウントされる。  
【００１５】
投入部２２に紙幣が投入されると、これに対応した数の遊技媒体が遊技媒体貸出機１４の払出口３０から払出される。遊技媒体は、遊技台１２の種類によって異なり、スロットマシンであればメダルであり、パチンコ台であればパチンコ玉である。  
【００１６】
図２、図３は、一つの紙幣搬送ユニット１６の外観を示す正面図及び背面図である。紙幣搬送ユニットは、前述のように紙幣を投入する縦型の投入口２１が設けられた投入部２２と、投入された紙幣、または隣接する紙幣搬送ユニット１６から送られて来た紙幣を搬送する搬送路２４を含む。図示される紙幣搬送ユニット１６の場合、紙幣は右から左へと向けて送られる。  
【００１７】
前記搬送路２４の前面には、呼出ランプ２３が取付けられていて、該呼出ランプ２３の両側に煙吸引孔２８が前向きの傾斜状に設けられている。この煙吸引孔２８は煙吸引ファン２７が作動する事により、煙吸引孔２８から遊技者が喫煙したとき発生する煙草の煙を吸引する事が出来る。なお、ここでは、煙吸引孔２８は、呼出ランプ２３の両側に設けたが、両側でなく呼出ランプの上側、下側（不図示）の位置に設けたものであっても良い。また、ここでは、煙吸引ファン２７は投入部２２に設けたが、搬送部に設けたものであってもよい。  
【００１８】
図４および図５は、紙幣搬送ユニット１６の搬送ユニットカバー３２を開放し、内部の構造が見える状態を示した図である。また、図４に示されるように、搬送ユニットカバー３２は、二つの支持具３４にて回動可能に支持されている。また、これらの支持具３４は、不図示ではあるがボルトなどによって所定位置に固定されている。なお、図５においては、左側に隣接する紙幣搬送ユニット１６を合わせて示してある。
【００１９】
図４は、投入部の内部構造を覆っている投入部カバー３６を外し、更に搬送ユニットカバー３２を開放した状態を示している。投入部カバー３６にはキー穴３８が備えられ、ここに所定のキーを差し込んで回すことにより、投入部カバー３６内に設けられたロック機構（不図示）のロックが解除され、紙幣搬送ユニット１６より取り外すことができる。投入部カバー３６を外すと、図示するように搬送ユニットカバー３２を手前、下方に回動させ、搬送部２４の内部を開放することができる。  
【００２０】
煙吸引孔２８は、搬送ユニットカバー３２に固定されており、該カバー３２の開放動作においても一体となって回動する。なお、上記においては手動によるキーを差し込んでのロック解除操作としたが、リモコン操作による解除操作としてもよい。
【００２１】
搬送ユニットカバー３２で覆われる内部には、紙幣を送る無端状の駆動ベルト４０を備えた搬送駆動部４２が配置されている。また、駆動ベルト４０の下側に略平行に上方を開放したコの字型の下部案内レール４４が配置されている。搬送ユニットカバー３２の内側には、駆動ベルト４０に対向する位置に押さえローラ４６が、さらに該カバー３２を閉じたときに、駆動ベルト４０の上方となる位置に上部案内レール４８が配置されている。紙幣は、駆動ベルト４０と押さえローラ４６に挟まれ、駆動ベルト４０の駆動により上部および下部案内レール４８，４４により形成される主搬送路に沿って移動する。
【００２２】
投入部カバー３６の内部には、投入された紙幣を真正なものか識別し、正規のもののみ搬送路に向けて送り出す識別搬送部５０が配置されている。識別搬送部５０には、紙幣の表面に描かれた図柄を識別する光学センサおよび磁気センサ（共に不図示）が配置され、登録された紙幣の図柄による検出パターンと、投入された紙幣のパターンとを比較して不正紙幣の判定を行う。本実施形態においては、昨今流通紙幣として使用されている千円、二千円、五千円、一万円の４金種の検出パターンを内部記憶し、投入を受け付けることができ、判別可能となっている。  
【００２３】
識別中の紙幣は、もしそれが不正な紙幣であれば受け付けることができないので、主搬送路へ送ることができない。言い換えれば、紙幣の真偽の確認が終わるまで、紙幣を主搬送路から分離しておく必要がある。紙幣搬送ユニット１６においては、識別中の紙幣は、前述の主搬送路に並行して配置された識別用搬送路内に留まるようになっており、真正なものと判断された後、上流側から送られる紙幣と重ならないタイミングで主搬送路へと送り出される。この新たに投入された紙幣の搬送は、識別搬送部５０内に備えられたモータ（不図示）の駆動力により、行われる。なお、主搬送路と識別用搬送路の詳細については後述する。  
【００２４】
図５は、図４の状態から、更に識別搬送部５０および搬送駆動部４２を取り外した状態を示している。図から判るように、識別搬送部５０は、搬送駆動部４２に対して取り付けられている。識別搬送部５０の取り付けられていた位置の下側には、主搬送路モータ５２が位置し、これが駆動ベルト４０を回転させる。また、識別搬送部５０が取り付けられた位置から、ここより離れる方向に、主搬送路と識別用搬送路を分ける分離ガイド５４が設けられている。この分離ガイド５４の図面において奥側を、隣接する紙幣搬送ユニット１６から送られてくる紙幣が搬送され（主搬送路）、手前側を新たに投入された紙幣が搬送される（識別用搬送路）。  
【００２５】
前述のように支持具３４は、ボルトやタッピングねじなどの締結部品によって遊技台１２の上方の所定位置に固定されている。より詳しくは、支持具３４に形成された取付穴６０にボルトなどの締結部品を貫通させて、遊技島１０との締結を行っている。図中、その下端には、蝶板が形成されており、この蝶板片６２に搬送ユニットカバー３２が取り付けられている。この結果、該カバー３２は、その下辺付近を軸として回動可能に遊技台１２の上方の前面側に取り付けられ、この回動により開閉動作が達成される。支持具３４は、図示するように全体として略Ｌ字形に構成され、図中上端と、下端部において前面側に延びるＬ字の先端付近に固定片６４が設けられている。ここには、ボルトまたはタッピングねじに対応した穴が設けられており、ここに搬送駆動部４２がボルトなどにより固定され
る。  
【００２６】
次に上記した紙幣搬送装置１８の各紙幣搬送ユニット１６に煙吸引装置２８を備えた構成について説明する。紙幣搬送ユニットは、紙幣を搬送する搬送部２４と紙幣を受け入れる投入部２２とから構成され、上記搬送部２４に煙吸引孔２８を備え、上記投入部２２に煙吸引ファン２７を備え、該煙吸引ファン２７と煙吸引孔２８が吸引パイプ２５で連設されている。  
【００２７】
次に遊技台１２に隣接された遊技媒体貸出機１４と、煙吸引孔２８を備えた紙幣搬送ユニット１６の構成について説明する。遊技媒体貸出機１４は、遊技台１２に隣接して配設されるもので、遊技媒体貸出機１４の本体部には、遊技媒体（メダル）を払出す遊技媒体払出機７６と払出口７０とが設けられている。  さらに、ここでの遊技媒体貸出機１４においては、上部に煙吸引ファン２７が内蔵され本体部いずれか側面に沿って巾狭に開口したスリット７２が設けられている。上部の煙吸引ファン２７の下部には、送風通路７４が設けられ、該送風通路７４とスリット７２が繋がっている。また、煙吸引ファン２７には着脱自在のフィルター（不図示）が備えられている。ここでの上記紙幣搬送ユニットと異なる点は、紙幣搬送ユニットの投入部に煙吸引ファンが取付けられていない点である。
【００２８】
このように紙幣搬送ユニット１６と遊技媒体貸出機１４とをセットして遊技台１２に隣接して取付けると、煙吸引ファン２７は常時駆動していて、煙吸引孔２８から吸引した煙は、フィルターにて浄化され、匂いがなくなった浄化空気を送風通路７４からスリット７２に送り出される。このスリット上の開口部から送風される事により、エアカーテンの機能を果たす事となる。そのため喫煙者の隣の非喫煙者も洋服に匂いが付着せず、いやな思いをする事がない。
【実施例２】
【００２９】
上記においては、各紙幣搬送ユニットに煙吸引孔を備えて吸引する構成を説明したが、図１０のように、煙吸引ユニットのみとしても良い。  ここでは、遊技媒体貸出機の構成は同じであるので省略するが、煙吸引ユニットのみ異なる構成としている。煙吸引ユニット２９は、遊技台の幅と略同じ長さの細長の棒状に形成され、着脱自在のユニットとして遊技台１２上方の隙間に外付けで取付ける事が出来るようにしている。そのため、簡易に取付ける事が出来、短時間で、島改築をする必要もなく取付けられる。このユニットにおける作用を説明する。煙吸引ユニット２９にて吸引し、煙吸引ファン２７のフィルターで浄化して匂いがなくなった浄化空気を送風通路７４からスリット７２に送り出すように成している。よって、非喫煙者にも煙草の匂いが付着せず、いやな思いをする事がない。
【図面の簡単な説明】
【００３０】
【図１】本発明の第１実施例である、煙吸引装置を備えた紙幣搬送装置を設置した、遊技島の概略構成を示す図である。
【図２】紙幣搬送ユニットの外観図（表面図）である。
【図３】紙幣搬送ユニットの外観図（背面図）である。
【図４】搬送ユニットカバー及び投入部カバーを開いた状態を示す図である。
【図５】紙幣搬送ユニットより更に識別搬送部及び搬送駆動部を取り外した状態を示した図である。
【図６】本発明の遊技媒体貸出装置の内部構成を示す図である。
【図７】煙吸引装置を備えた紙幣搬送ユニットと、遊技媒体貸出装置を一体に取付けた状態を示した斜視図（表面側）である。
【図８】煙吸引装置を備えた紙幣搬送ユニットと、遊技媒体貸出装置を一体に取付けた状態を示した斜視図（背面側）である。
【図９】本発明の第２実施例である、煙吸引ユニットを設置した、遊技島の概略構成を示す図である。
【図１０】煙吸引ユニットと、遊技媒体貸出装置を一体に取付けた状態を示した図である。
【符号の説明】
【００３１】
１０    遊技島  １２    遊技台  １４    遊技媒体貸出機  １６    紙幣搬送ユニット  １８    紙幣搬送装置  ２２    投入部  ２３    呼出ランプ  ２４    搬送路  ２５    吸引パイプ  ２７    煙吸引ファン  ２８    煙吸引孔  ２９    煙吸引ユニット  ７２    スリット  ７４    送風通路  ７６    遊技媒体払出機
【図１】
2005087464.tif 000003
【図２】
2005087464.tif 000004
【図３】
2005087464.tif 000005
【図４】
2005087464.tif 000006
【図５】
2005087464.tif 000007
【図６】
2005087464.tif 000008
【図７】
2005087464.tif 000009
【図８】
2005087464.tif 000010
【図９】
2005087464.tif 000011
【図１０】
2005087464.tif 000012